(57)【要約】【課題】従来の放射角の狭いＬＥＤを採用した道路情報表示板にあっては、直線道路のみでなく曲線道路にも設置され遠方から表示が行われていることを知らせる必要のある情報板や、公共の情報装置のように情報が表示されていることを広い範囲に知らせたい情報板などのように、広い視認角度を確保することを必要とする情報板の表示ユニットとして利用するには不向きであるという問題があった。【解決手段】２個以上のＬＥＤ４ｒ，４ｇ，５ｒ，５ｇ，６，７をプリント基板に実装してなるＬＥＤを用いた表示ユニットにおいて、放射角の広いＬＥＤ４ｒ，４ｇ，６より放射される光が隣接する他のＬＥＤによって遮られないように配置したことを特徴とするＬＥＤを用いた表示ユニットである。【選択図】        図１
2004354476.tif 000002
【特許請求の範囲】
【請求項１】
２個以上のＬＥＤをプリント基板に実装してなるＬＥＤを用いた表示ユニットにおいて、放射角の広いＬＥＤと放射角の狭いＬＥＤとから構成され、放射角の広いＬＥＤより放射される光が隣接する他のＬＥＤによって遮られないように配置したことを特徴とするＬＥＤを用いた表示ユニット。
【請求項２】
前記放射角の広いＬＥＤを大径のＬＥＤとなし、放射角の狭いＬＥＤを小径のＬＥＤとしたことを特徴とする請求項１記載のＬＥＤを用いた表示ユニット。
【請求項３】
異なる色の放射角の広い大径のＬＥＤを対角線状に配置し、かつ、前記異なる色と同じ色の放射角の狭い小径のＬＥＤを前記対角線と略直交する位置に配置したことを特徴とする請求項１記載のＬＥＤを用いた表示ユニット。
【請求項４】
前記放射角の広いＬＥＤを放射角の狭いＬＥＤよりもプリント基板への取付け時に高さを高くして実装したことを特徴とする請求項１記載のＬＥＤを用いた表示ユニット。
【発明の詳細な説明】
【０００１】
【発明の属する技術分野】
本発明は少なくとも２個以上のＬＥＤを１つの単位となし、この単位となっているＬＥＤを１つのプリント基板に多数、例えば、縦横１６組を実装したユニットに関するものであり、このユニットを表示板に多数配置して文字や図柄等を表示する、例えば、道路情報表示板における渋滞情報や事故情報等を表示するためのＬＥＤを用いた表示ユニットの改良に関する。
【０００２】
【従来の技術】
従来における表示ユニットとしては、例えば、特願平９−２８８４６０号公報に開示されている技術がある。この表示ユニットは、多数のＬＥＤを接近して配置すると共にＬＥＤの頭部高さを揃えてマトリックス状に配列してプリント基板に半田付けして取付けたものである。
【０００３】
ところで、上記した従来例のようにＬＥＤを接近して配置した場合には、図４（ａ）に示すような放射される光が横方向に広がっている放射角の広いＬＥＤを使用した場合には、側方に出射する表示に利用できる光は図５に示す如く接近して配置されたＬＥＤによって互いに遮られてしまうため視認角度の広い表示が行えないものであった。
【０００４】
【特許文献】特開平９−２８８４６０号
【０００５】
【発明が解決しようとする課題】
このため、道路情報表示板のように直線道路のみでなく曲線道路にも設置され遠方から表示が行われていることを知らせる必要のある情報板や、公共の情報装置のように情報が表示されていることを広い範囲に知らせたい情報板などのように広い視認角度と情報板正面に対して一定以上の明るさを確保することを必要する情報板の表示ユニットとして利用するには不向きであるという問題があった。
【０００６】
本発明は前記した問題点を解決せんとするもので、その目的とするところは、放射角の広いＬＥＤから放射される光が隣接するＬＥＤによって遮られないようにすることで、各ＬＥＤを近接して配置することができ、正面における輝度が確保されることは勿論のこと斜めからの視認性が向上すると共に、画素数を多くして解像度を上げることが可能であり、かつ、ユニットの小型化が図れるＬＥＤを用いた表示ユニットを提供せんとするにある。
【０００７】
【課題を解決するための手段】
本発明のＬＥＤを用いた表示ユニットは前記した目的を達成せんとするもので、その請求項１の手段は、２個以上のＬＥＤをプリント基板に実装してなるＬＥＤを用いた表示ユニットにおいて、放射角の広いＬＥＤと放射角の狭いＬＥＤとから構成され、放射角の広いＬＥＤより放射される光が隣接する他のＬＥＤによって遮られないように配置したものである。
【０００８】
請求項２の手段は、前記した請求項１において、前記放射角の広いＬＥＤを大径のＬＥＤとなし、放射角の狭いＬＥＤを小径のＬＥＤとしたことを特徴とし、請求項３の手段は、前記した請求項１において、異なる色の放射角の広い大径のＬＥＤを対角線状に配置し、かつ、前記異なる色と同じ色の放射角の狭い小径のＬＥＤを前記対角線と略直交する位置に配置したことを特徴とする。
【０００９】
請求項４の手段は、前記した請求項１において、前記放射角の広いＬＥＤを放射角の狭いＬＥＤよりもプリント基板への取付け時に高さを高くして実装したことを特徴とする。
【００１０】
【発明の実施の形態】
以下、本発明に係るＬＥＤを用いた表示ユニットの第１の実施形態を図１、図２と共に説明する。なお、前記した従来例と同一符号は同一部材を示し説明は省略する。
この実施の形態にあっては、直径が大きく高さが高い５φの放射角の広い、例えば、赤色のＬＥＤ４ｒと緑色のＬＥＤ４ｇと、直径が小さく高さが低い３φの放射角の狭い赤色のＬＥＤ５ｒと緑色のＬＥＤ５ｇとを組み合わせたものであり、かつ、図１（ａ）に示す如く、５φの放射角の広い赤色のＬＥＤ４ｒと緑色のＬＥＤ４ｇとを対角線状にプリント基板３に対して半田付けして取付ける。
【００１１】
また、３φの放射角の狭い赤色のＬＥＤ５ｒと緑色のＬＥＤ５ｇを前記対角線と略直交する位置にプリント基板３に対して半田付けて１つの単位とし、このような４個のＬＥＤを１つの単位としたものを図１（ｂ）に示すようマトリックス状に配置したものである。
【００１２】
このように直径の大きな放射角の広いＬＥＤ４ｒ，４ｇとを対角線状に配置すると共に直径の小さな放射角の狭いＬＥＤ５ｒ，５ｇを前記対角線と略直交する位置に配置することで、放射角の広いＬＥＤ４ｒ，４ｇより放射される光は放射角の狭いＬＥＤ５ｒ，５ｇによって光が遮られることがなくなるので、放射角の広いＬＥＤと放射角の狭いＬＥＤとを接近して配置することができる。
【００１３】
また、直径が大きい放射角の広いＬＥＤ４ｒ，４ｇは対角線状に配置されているので、放射角の狭い直径の小さなＬＥＤ５ｒ，５ｇとの間隔よりも大きく配置されることとなるので、放射角の広いＬＥＤ４ｒ，４ｇから互いに照射される光が放射角の広いＬＥＤ４ｒ，４ｇどうしによって放射した光が遮られることがなくなる。
【００１４】
従って、前記したことと相まって、画素数を多くして解像度を上げることができると共に放射角の広いＬＥＤ４ｒ，４ｇを採用していることから、斜め方向からの視認性が確保され、かつ、放射角の狭いＬＥＤ５ｒ，５ｇとの共用によって正面における輝度値が確保できるものである。
【００１５】
次に、第２の実施の形態を図３と共に説明する。
この実施の形態のものは、放射角の広いＬＥＤ６と放射角の狭いＬＥＤ７が同じ大きさのものであるが、放射角の広いＬＥＤ６は放射角の狭いＬＥＤ７よりもスペーサ８を介してプリント基板３面より高い位置となるようにプリント基板３に対して取付けたものである。
【００１６】
このように放射角の広いＬＥＤ６をプリント基板３面に対して放射角の狭いＬＥＤ７より高い位置に取付けたことにより、放射角の広いＬＥＤ６より放射される光は放射角の狭いＬＥＤ２によって遮られることがなくなるので、各ＬＥＤ６，７を近接して配置することが可能となり、従って、前記したと同様に画素数を多くして解像度を上げることができると共に斜め方向からの視認性も確保され、かつ、正面における明るさも確保できるものである。
【００１７】
なお、本実施の形態にあっては、放射角の広いＬＥＤ６をプリント基板３に対してスペーサ８を介して高い位置に取付けた場合について説明したが、スペーサ８を使用せずに放射角の広いＬＥＤ６のリード線によってプリント基板３に対して放射角の狭いＬＥＤ７よりも高い位置に取付けるようにしてもよい。
【００１８】
また、前記した実施の形態にあっては、赤色と緑色の２色のＬＥＤを使用した場合について説明したが、赤色と青色のＬＥＤとの組み合わせ等であってもよく、ＬＥＤの色には限定されないものである。さらに、ＬＥＤの色としては全てのＬＥＤを一色とした場合にも応用することができるものである。
【００１９】
【発明の効果】
本発明は前記したように、２個以上のＬＥＤを実装してプリント基板に実装してなるＬＥＤを用いた表示ユニットにおいて、放射角の広いＬＥＤより放射される光が隣接する他のＬＥＤによって遮られないように配置したことにより、ＬＥＤどうしを接近して配置することが可能となり、従って、画素数を多くして解像度を高めることが可能になると共に、斜め方向からの視認性も確保され、かつ、正面においても必要とする明るさを確保できるものである。
【図面の簡単な説明】
【図１】本発明のＬＥＤを用いた表示ユニットの一例を示し、（ａ）は１つの単位の正面図、（ｂ）はユニット化した正面図である。
【図２】同上の側面図である。
【図３】第２の実施の形態を示す側面図である。
【図４】ＬＥＤの指向特性を示す特性図であり、（ａ）は放射角の広いＬＥＤの指向特性図、（ｂ）は放射角の狭いＬＥＤの指向特性図である。
【図５】従来のＬＥＤの配置関係を示し、ＬＥＤの間隔を狭く配置した場合の説明図である。
【符号の説明】
３          プリント基板
４ｒ，４ｇ  放射角の広い赤色および緑色のＬＥＤ
５ｒ，５ｇ  放射角の狭い赤色および緑色のＬＥＤ
６          放射角の広いＬＥＤ
７          放射角の狭いＬＥＤ
８          スペーサ
【図１】
2004354476.tif 000003
【図２】
2004354476.tif 000004
【図３】
2004354476.tif 000005
【図４】
2004354476.tif 000006
【図５】
2004354476.tif 000007